(57)【要約】　　　（修正有）【課題】エアポンプ作動時の騒音伝送を有効に減らせるエアポンプのダブルケーシングの提供。【解決手段】本考案のエアポンプのダブルケーシングは、内外の二重ケーシング構造を具えたエアポンプを指し、エアポンプの外ケーシング内に内ケーシングが増設され、内ケーシング内にエアポンプの機体が設けられ、この内外の二重ケーシング構造により、エアポンプ作動時の騒音の伝送を有効に減らしている。【選択図】　　　　図２
0003097052.tif 000002
【実用新案登録請求の範囲】
【請求項１】
エアポンプのダブルケーシングにおいて、エアポンプの外ケーシング内に内ケーシングが増設され、該外ケーシングと内ケーシングの間に中空の空間が保持され、該内ケーシング内に中空収容室が設けられ、該中空収容室にエアポンプの機体が取り付けられ、この内外の二重ケーシング構造によりエアポンプの機体作動時の騒音のケーシング外への伝送を減らすことを特徴とする、エアポンプのダブルケーシング。
【請求項２】
請求項１記載のエアポンプのダブルケーシングにおいて、外ケーシングが外カバーと外ベースを具えたことを特徴とする、エアポンプのダブルケーシング。
【請求項３】
請求項１記載のエアポンプのダブルケーシングにおいて、内ケーシングが内カバーと内ベースを具えたことを特徴とする、エアポンプのダブルケーシング。
【請求項４】
請求項３記載のエアポンプのダブルケーシングにおいて、内ベース側縁に少なくとも一つの切欠きが設けられたことを特徴とする、エアポンプのダブルケーシング。
【請求項５】
請求項３記載のエアポンプのダブルケーシングにおいて、内カバーが下向きの凹形のカバー体とされ、そのカバー体のカバー縁が内ベースの外縁より大きいことを特徴とする、エアポンプのダブルケーシング。
【請求項６】
請求項５記載のエアポンプのダブルケーシングにおいて、内ベースの上縁をソフトパッドが被覆し、さらに内カバーが閉じ合わされて密封性が増されたことを特徴とする、エアポンプのダブルケーシング。
【請求項７】
請求項６記載のエアポンプのダブルケーシングにおいて、内カバーに貫通孔が設けられて入気管が通されたことを特徴とする、エアポンプのダブルケーシング。
【請求項８】
請求項７記載のエアポンプのダブルケーシングにおいて、ソフトパッドと内カバーの間に薄板が挿入され、該薄板に貫通孔が設けられて入気管の下段が挿入されたことを特徴とする、エアポンプのダブルケーシング。
【請求項９】
エアポンプのダブルケーシングにおいて、エアポンプの外ケーシング内に内ケーシングが増設され、外ケーシングと内ケーシングの間に中空の空間が保持され、内ケーシング内に中空収容室が設けられてエアポンプの機体が取り付けられ、外ケーシングの外カバーの内側に下向きの凹形のカバー縁が凹設されてソフトパッドが収容され、外カバーが内ケーシングの上縁に閉じ合わされ、その密封性を高めたことを特徴とする、エアポンプのダブルケーシング。
【請求項１０】
請求項９記載のエアポンプのダブルケーシングにおいて、内ケーシングに出気管を通すための少なくとも一つの切欠きが設けられたことを特徴とする、エアポンプのダブルケーシング。
【考案の詳細な説明】
【０００１】
【考案の属する技術分野】
本考案は一種のエアポンプのケーシング構造に係り、特に、内外の二重ケーシング構造を具えたエアポンプを指し、この構造によりエアポンプ作動時の騒音の伝送を有効に減らしたエアポンプのダブルケーシングに関する。
【０００２】
【従来の技術】
周知のエアポンプのケーシング構造は、図１に示されるように、カバー２１にベース２２が嵌合されて組成されたケーシング２を具え、該ケーシング２内に中空収容室２０があり、且つ該中空収容室２０内にエアポンプの機体１が取り付けられ、該エアポンプの機体１の作動により空気を出気管１１を通して送出し、水槽に提供する。このような周知のエアポンプは機体１の運転音が大きく、鑑賞魚の飼育により環境を視覚的に美化する反面、騒音を発生して静かな家庭生活環境を破壊する。
【０００３】
【考案が解決しようとする課題】
本考案は周知のエアポンプの欠点を解決するエアポンプのダブルケーシングを提供する。それは、エアポンプの外ケーシング内に内ケーシングを増設し、該内ケーシングの内側にエアポンプの機体を取り付け、このダブルケーシング構造により、エアポンプ作動時の騒音の伝送を減らし、従来のエアポンプの欠点を解決したものとする。
【０００４】
則ち、本考案の主要な目的は、エアポンプ作動時の騒音伝送を有効に減らせるエアポンプのダブルケーシングを提供することにある。
【０００５】
【課題を解決するための手段】
請求項１の考案は、エアポンプのダブルケーシングにおいて、エアポンプの外ケーシング内に内ケーシングが増設され、該外ケーシングと内ケーシングの間に中空の空間が保持され、該内ケーシング内に中空収容室が設けられ、該中空収容室にエアポンプの機体が取り付けられ、この内外の二重ケーシング構造によりエアポンプの機体作動時の騒音のケーシング外への伝送を減らすことを特徴とする、エアポンプのダブルケーシングとしている。
請求項２の考案は、請求項１記載のエアポンプのダブルケーシングにおいて、外ケーシングが外カバーと外ベースを具えたことを特徴とする、エアポンプのダブルケーシングとしている。
請求項３の考案は、請求項１記載のエアポンプのダブルケーシングにおいて、内ケーシングが内カバーと内ベースを具えたことを特徴とする、エアポンプのダブルケーシングとしている。
請求項４の考案は、請求項３記載のエアポンプのダブルケーシングにおいて、内ベース側縁に少なくとも一つの切欠きが設けられたことを特徴とする、エアポンプのダブルケーシングとしている。
請求項５の考案は、請求項３記載のエアポンプのダブルケーシングにおいて、内カバーが下向きの凹形のカバー体とされ、そのカバー体のカバー縁が内ベースの外縁より大きいことを特徴とする、エアポンプのダブルケーシングとしている。
請求項６の考案は、請求項５記載のエアポンプのダブルケーシングにおいて、内ベースの上縁をソフトパッドが被覆し、さらに内カバーが閉じ合わされて密封性が増されたことを特徴とする、エアポンプのダブルケーシングとしている。
請求項７の考案は、請求項６記載のエアポンプのダブルケーシングにおいて、内カバーに貫通孔が設けられて入気管が通されたことを特徴とする、エアポンプのダブルケーシングとしている。
請求項８の考案は、請求項７記載のエアポンプのダブルケーシングにおいて、ソフトパッドと内カバーの間に薄板が挿入され、該薄板に貫通孔が設けられて入気管の下段が挿入されたことを特徴とする、エアポンプのダブルケーシングとしている。
請求項９の考案は、エアポンプのダブルケーシングにおいて、エアポンプの外ケーシング内に内ケーシングが増設され、外ケーシングと内ケーシングの間に中空の空間が保持され、内ケーシング内に中空収容室が設けられてエアポンプの機体が取り付けられ、外ケーシングの外カバーの内側に下向きの凹形のカバー縁が凹設されてソフトパッドが収容され、外カバーが内ケーシングの上縁に閉じ合わされ、その密封性を高めたことを特徴とする、エアポンプのダブルケーシングとしている。
請求項１０の考案は、請求項９記載のエアポンプのダブルケーシングにおいて、内ケーシングに出気管を通すための少なくとも一つの切欠きが設けられたことを特徴とする、エアポンプのダブルケーシングとしている。
【０００６】
【考案の実施の形態】
図２、３に示されるように、本考案は、外ケーシング３１内に内ケーシング３２が設けられ、該外ケーシング３１と内ケーシング３２の間に中空の空間３１０が保留され、該内ケーシング３２内に中空収容室３２０が設けられて、該中空収容室３２０にエアポンプの機体４が取り付けられる。該外ケーシング３１は外カバー３１１が外ベース３１２に嵌合されてなり、並びに外ベース３１２の上縁外側に係合縁３１２４が凹設され、その上にパッキング３４が套設され、外カバー３１１の底縁内側の係合縁３１１２に接合され、密着防音効果を具備し、さらにネジ３１２３が外ベース３１２のネジ孔３１２１に挿入された後に外カバー３１１にねじ込まれる。外カバー３１１の側縁に別に少なくとも一つの半円孔３１１１が設けられ、該半円孔３１１１と該半円孔３１１１に対応するよう外ベース３１２に設けられた少なくとも一つの半円孔３１２２が、少なくとも一つの出気管固定孔Ａ（その孔数はエアポンプの機体４の出気管数により定められる）を形成している。該内ケーシング３２は内ベース３２２に内カバー３２１が組み合わされてなるケーシングであり、そのうち内ベース３２２内の中空収容室３２０がエアポンプ４の取り付けに供され、その一側に少なくとも一つの切欠き３２２１が設けられ、該切欠き３２２１に出気管４１が通されて曲管４２と連接され、且つ該曲管４２の別端にもう一つの出気管４３が連接され、並びにスリーブ４４が套設されて空気の排出管路とされている。該内カバー３２１は下向きの凹形を呈するカバー体とされ、そのカバー縁３２１４が内ベース３２２の外縁よりやや大きく、且つ該内カバー３２１に貫通孔３２１１が設けられて入気管３５が通され、且つ該入気管３５の下段３５１が内カバー３２１の内側に挿入され、並びに薄板３６の貫通孔３６１（該薄板３６は共振の伝導を消去し、騒音の発生を減少させる）、ソフトパッド３３の貫通孔３３１を通り、該ソフトバッド３３が内ベース３２２の上縁に当接して内ベース３２２の上縁を被覆し、さらに内カバー３２１で緊密に閉じられ、並びにネジ３２１３が内カバー３２１及びソフトパッド３３の小孔３２１２、３３２を貫通して内ベース３２２のネジ孔３２２２にねじ込まれ、これにより内カバー３２１と内ベース３２２が緊密に結合される。
【０００７】
上述の構造の組成により、エアポンプの機体４が作動する時（エアポンプ機体の作動については周知の構造であり、本考案の特徴ではないため説明を省略する）、発生する振動及び騒音は、内ケーシング３２と外ケーシング３１の二重密封構造により、ほとんどが除去され、その伝導が防止され、これにより人を悩ます騒音問題を有効に改善することができる。
【０００８】
図４に示されるのは、本考案のもう一つの実施例の断面図であり、本考案の内外のダブルケーシング構造を具えている。外ケーシング３１’は外カバー３１１’が外ベース３１２’に閉じ合わされてなり、該外ケーシング３１’内に内ケーシング３２’が増設され、該内ケーシング３２’内に中空収容室３２０’が設けられてエアポンプの機体４’が取り付けられ、且つ外ケーシング３１’と内ケーシング３２’間に中空の空間３１０’があり、そのうち、外カバー３１１’内側に下向きの凹形のカバー縁３１１０’が形成され、その内部にソフトパッド３３’が収容された後、内ケーシング３２’上縁に閉じ合わされ、並びに該内ケーシング３２’に少なくとも一つの切欠き３２１０’が設けられて出気管４１’が通される。
【０００９】
【考案の効果】
総合すると、本考案は内外の二重ケーシング構造により、有効にエアポンプ作動時に発生する騒音の伝送を防止し、鑑賞魚飼育の楽しみを達成し、静かな家庭環境を維持させる。
【図面の簡単な説明】
【図１】周知のエアポンプの断面図である。
【図２】本考案の分解斜視図である。
【図３】本考案の断面図である。
【図４】本考案のもう一つの実施例の断面図である。
【符号の説明】
１　ケーシング　　　　　　　　１１　出気管
２　ケーシング　　　　　　　　２０　中空収容室
２１　カバー　　　　　　　　　２２　ベース
３１、３１’　外ケーシング　　３１０、３１０’　空間
３１１０’　カバー縁
３１１、３１１’　外カバー　　３１１１　半円孔
３１１２　係合縁　　　　　　　３１２、３１２’　外ベース
３１２１　ネジ孔　　　　　　　３１２２　半円孔
３１２３　ネジ　　　　　　　　３１２４　係合縁
３２、３２’　内ケーシング
３２０、３２０’　中空収容室
３２１　内カバー　　　　　　　３２１０’　切欠き
３２１１　貫通孔　　　　　　　３２１２　小孔
３２１３　ネジ　　　　　　　　３２１４　カバー縁
３２２　内ベース　　　　　　　３２２１　切欠き
３２２２　ネジ孔　　　　　　　３３、３３’　ソフトパッド
３３１　貫通孔　　　　　　　　３３２　小孔
３４　パッキング　　　　　　　３５　入気管
３５１　下段　　　　　　　　　３６　薄板
３６１　貫通孔　　　　　　　　３５’　入気口
４、４’　機体　　　　　　　　４１、４１’　出気管
４２　曲管　　　　　　　　　　４３　出気管
４４　スリーブ
Ａ　出気管固定孔
【図１】
0003097052.tif 000003
【図２】
0003097052.tif 000004
【図３】
0003097052.tif 000005
【図４】
0003097052.tif 000006